(57)【要約】【課題】テーブルの使用者が容易にパネルを動かして任意の位置で固定することができ、かつ天板よりも上方に位置するパネル体の表面領域を変化させることができるテーブルにおけるパネル装置を提供すること。【解決手段】略垂直方向に延びるパネル体２ｄが天板５の端部に設けられたテーブル４におけるパネル装置１ｄであって、前記パネル体２ｄを、前記天板５の端部における任意の一点Ｋに対して垂直方向に公転自在に支持させ、該パネル体２ｄを任意の公転位置で固定するための第１固定手段３１を設けた。【選択図】図１０
2008113837.tif 000002
【特許請求の範囲】
【請求項１】
略垂直方向に延びるパネル体が天板の端部に設けられたテーブルにおけるパネル装置であって、
前記パネル体を、前記天板の端部における任意の一点に対して垂直方向に公転自在に支持させ、該パネル体を任意の公転位置で固定するための第１固定手段を設けたことを特徴とするテーブルにおけるパネル装置。
【請求項２】
前記パネル体は、前記任意の一点に回動支持されたアームの他部に回動支持され、かつ該パネル体を任意の回動位置で固定するための第２固定手段を設けたことを特徴とする請求項１に記載のテーブルにおけるパネル装置。
【請求項３】
前記パネル体が、該パネル体の中心位置から偏心した位置にて前記アームに対して軸支されていることを特徴とする請求項２に記載のテーブルにおけるパネル装置。
【請求項４】
前記パネル体が、円形以外の形状をなしていることを特徴とする請求項１ないし３のいずれかに記載のテーブルにおけるパネル装置。
【請求項５】
前記パネル体が、該パネル体の端縁を形成するフレーム材と、該フレーム材に張設されるクロス材とで構成されていることを特徴とする請求項１ないし４のいずれかに記載のテーブルにおけるパネル装置。
【発明の詳細な説明】
【技術分野】
【０００１】
本発明は、略垂直方向に延びるパネル体が天板の端部に設けられたテーブルにおけるパネル装置に関する。
【背景技術】
【０００２】
従来、多数のテーブル（机）を並べるオフィス等では、テーブルの使用者が仕事に集中できるように、テーブルの前面や側面を囲むパネルが用いられており、例えば、特許文献１に記載の昇降パネル付きテーブルのように、可動プレートによって上下昇降できるパネルを、天板を支持する脚柱に取り付けられた支持ブラケットを介して取り付けることで、天板に埋め込まれるナットの数を減らし、かつパネルの取付強度を充分に確保するようにしたものがある。
【０００３】
【特許文献１】特開２０００−４９４９号公報（第３頁、第５図）
【発明の開示】
【発明が解決しようとする課題】
【０００４】
しかしながら、特許文献１に記載の昇降パネル付きテーブルにあっては、パネルを上下昇降させることで、天板よりも上方に位置するパネルの高さ位置や表面積などのパネルの表面領域を変化させており、そのパネルの上下昇降の際には、テーブルの使用者が起立した状態でパネルの上端部を両手で掴んで、パネルを上下昇降させなければならず、パネルを容易に動かすことができないという問題がある。
【０００５】
本発明は、このような問題点に着目してなされたもので、テーブルの使用者が容易にパネルを動かして任意の位置で固定することができ、かつ天板よりも上方に位置するパネル体の表面領域を変化させることができるテーブルにおけるパネル装置を提供することを目的とする。
【課題を解決するための手段】
【０００６】
前記課題を解決するために、本発明の請求項１に記載のテーブルにおけるパネル装置は、
略垂直方向に延びるパネル体が天板の端部に設けられたテーブルにおけるパネル装置であって、
前記パネル体を、前記天板の端部における任意の一点に対して垂直方向に公転自在に支持させ、該パネル体を任意の公転位置で固定するための第１固定手段を設けたことを特徴としている。
この特徴によれば、使用者がパネル体を動かすと、使用者から視認できるパネル体の表面領域、すなわち天板よりも上方に位置するパネル体の表面領域が変化するようになり、かつ公転運動によりパネル体が移動されるため、使用者が着席中の場合や片手であってもパネル体を動かす操作を行えるようになり、かつ第１固定手段によりパネル体を任意の公転位置で固定させることも容易に行える。
【０００７】
本発明の請求項２に記載のテーブルにおけるパネル装置は、請求項１に記載のテーブルにおけるパネル装置であって、
前記パネル体は、前記任意の一点に回動支持されたアームの他部に回動支持され、かつ該パネル体を任意の回動位置で固定するための第２固定手段を設けたことを特徴としている。
この特徴によれば、パネル体が、前記公転による動きに加えてパネル体の中心位置から偏心した位置を中心として回動されるようになり、パネル体の高さ位置や天板よりも上方の遮蔽面積を容易に変化させることができ、かつ第２固定手段によりパネル体を任意の回動位置で固定させることも容易に行える。
【０００８】
本発明の請求項３に記載のテーブルにおけるパネル装置は、請求項２に記載のテーブルにおけるパネル装置であって、
前記パネル体が、該パネル体の中心位置から偏心した位置にて前記アームに対して軸支されていることを特徴としている。
この特徴によれば、パネル体が、その中心位置から偏心した位置を中心として回動されるようになり、使用者から視認できるパネル体の表面領域、すなわち天板よりも上方に位置するパネル体の表面領域が様々な形状に変化するようになり、パネル体の高さ位置や天板よりも上方の遮蔽面積を容易に変化させることができる。
【０００９】
本発明の請求項４に記載のテーブルにおけるパネル装置は、請求項１ないし３のいずれかに記載のテーブルにおけるパネル装置であって、
前記パネル体が、円形以外の形状をなしていることを特徴としている。
この特徴によれば、円形以外の形状をなすパネル体を天板の端部における任意の一点を中心として公転させると、天板よりも上方に位置するパネル体の表面領域が様々な形状に変化するようになり、パネル体の高さ位置や天板よりも上方の遮蔽面積を容易に変化させることができる。
【００１０】
本発明の請求項５に記載のテーブルにおけるパネル装置は、請求項１ないし４のいずれかに記載のテーブルにおけるパネル装置であって、
前記パネル体が、該パネル体の端縁を形成するフレーム材と、該フレーム材に張設されるクロス材とで構成されていることを特徴としている。
この特徴によれば、パネル体を軽量化することができ、パネル体を容易に動かせるようになるばかりか、フレーム材の形状を変化させることで、様々な端縁形状を有するパネル体を製造でき、かつクロス材を適宜選択することで、様々な色や模様のパネル体を製造できる。
【発明を実施するための最良の形態】
【００１１】
本発明に係るテーブルにおけるパネル装置を実施するための最良の形態を実施例に基づいて以下に説明する。
【実施例１】
【００１２】
本発明の実施例を図面に基づいて説明すると、先ず図１は、実施例１におけるパネル装置が取り付けられたテーブルを示す斜視図であり、図２は、パネル装置が取り付けられたテーブルの使用例を示す側面図であり、図３は、パネル装置が取り付けられたテーブルを示す背面図であり、図４は、クランプ装置を示す縦断側面図であり、図５は、トルクヒンジを示す斜視図であり、図６は、パネル装置が取り付けられたテーブルの使用例を示す斜視図である。以下、図１及び図６の紙面右下方側をテーブルにおけるパネル装置の正面側（前方側）とし、図２の紙面右側をテーブルにおけるパネル装置の正面側（前方側）として説明する。
【００１３】
図１の符号１は、本発明の適用されたパネル装置であり、このパネル装置１は、垂直方向に延びる平板状をなすパネル体２と、このパネル体２を支持するクランプ装置３で構成されている。１つのパネル装置１は、１つのクランプ装置３を介してテーブル４の天板５の端部に取り付けられている。本実施例では、オフィス等に設置される１台のテーブル４の天板５に３つのパネル装置１が用いられ、それぞれのパネル装置１が、天板５における後方側及び左右側方側の端縁部の３箇所に取り付けられている。尚、本発明で言うテーブルとは、オフィス等で使用される机等も含んでいる。
【００１４】
図２に示すように、パネル体２は、その端縁を形成する端縁フレーム材６と、端縁フレーム材６の内側に配置される直線状の支持フレーム材７とを有している。両フレーム材６，７は、軽量な金属等の材質で形成され、端縁フレーム材６は、金属製の管体を屈曲させることで形成されるとともに、支持フレーム材７は、端縁フレーム材６に溶接によって接合されている。
【００１５】
尚、これらフレーム材６，７を覆うように透過性を有する軽量な布地で構成されるクロス材８が張設されている。このように軽量な金属製のフレーム材６，７とクロス材８とで、パネル体２を構成することで、パネル体２を軽量化することができる。
【００１６】
また、端縁フレーム材６は円形状や三角形状や四角形状などの様々な形状に変形加工することができ、この端縁フレーム材６の形状を変化させることで、様々な形状のパネル体２を製造できる。更に、クロス材８の色や模様を適宜選択することで、様々な色や模様のパネル体２を製造できる。尚、クロス材８は袋状に形成されており、その寸法が端縁フレーム材６の寸法よりも若干小さくなっている。そのためクロス材８にテンションをかけた状態で張設できるようになっている。
【００１７】
本実施例におけるパネル体２は、略卵形状に形成されている。この略卵形状とは、例えば、図３（ａ）に示すように、パネル体２の端縁の略半分を形成する円弧に基づいて仮想的に形成される円Ｅに対してパネル体２の端縁の一部が外方に膨出された形状を示す。
【００１８】
支持フレーム材７の中央部は、前述した円Ｅの中心Ｔに配置されるようになっており、この円Ｅの中心Ｔは、パネル体２の中心位置Ｊ、すなわちパネル体２の重心位置Ｊから偏心された位置に設けられている。パネル体２は、支持フレーム材７の中央部（円Ｅの中心Ｔ）でクランプ装置３によって支持されている。
【００１９】
図３（ａ）〜（ｃ）に示すように、パネル体２は、使用者Ｕがパネル体２の端縁を掴んで垂直方向に自在に回動（自転）させることができるとともに、パネル体２を任意の回動位置で固定することができる。パネル体２は、天板５の端部における任意の一点、すなわちクランプ装置３が設けられた支持点を中心Ｔ（軸）として垂直方向に自転される。尚、本発明で言うパネル体２の垂直方向の回動とは、中心Ｔを中心軸としての図３の紙面に対してパネル体２が平行に回動する方向を言う。
【００２０】
図２に示すように、パネル体２の回動位置を変えることによって、使用者Ｕが仕事に集中したい場合には、パネル体２を回動させてその上端縁（表面領域の上端縁）を高くすることができ、使用者Ｕが周囲の人とのコミュニケーションが必要な場合には、パネル体２を回動させてその上端縁を低くすることができるようになっている。
【００２１】
図３（ａ）は、略卵形状のパネル体２の端縁のうち、外方に膨出された端縁が上方側にある状態のパネル体２の回動位置を示している。このパネル体２を垂直方向に９０°回動させると、図３（ｂ）に示すように、パネル体２の外方に膨出された端縁が側方側に移動される。そのためパネル体２の上端縁の高さを低くすることができる。
【００２２】
更に、パネル体２を垂直方向に９０°回動させると、図３（ｃ）に示すように、パネル体２の外方に膨出された端縁が下方側に移動される。そのためパネル体２によって遮蔽される面積、すなわち天板５よりも上方のパネル体２の部位（表面領域）を最小限にすることができる。
【００２３】
次にクランプ装置３について詳述すると、図４に示すように、クランプ装置３は金属製の板体が側面視で略コ字形状をなすように屈曲された屈曲板体９を有し、この屈曲板体９の上片１０及び下片１１には、天板５の上面及び下面に当接され、かつ天板５を上下方向から挟持するための上部及び下部挟持部材１２，１３が設けられている。
【００２４】
上部挟持部材１２の内部には、ネジ座１４が配置されており、このネジ座１４は、雌ネジ部１５が形成された円筒部１６と、この円筒部１６よりも大径のフランジ部１７により構成されている。ネジ座１４の円筒部１６は、屈曲板体９の上片１０に形成された円形状の孔部１８に下方から挿設され、ネジ座１４のフランジ部１７が屈曲板体９の上片１０に下方から当接されるようになっている。
【００２５】
また、上部挟持部材１２の内部には、ネジ座１４の雌ネジ部１５に螺合される雄ネジ部１９が形成された回動ボルト２０が配置されている。屈曲板体９の上片１０とネジ座１４と回動ボルト２０とは、上方がカバー部材２１によって覆われており、カバー部材２１の上部には、回動ボルト２０を回動させるための回動ノブ２２が設けられている。更に、カバー部材２１には、天板５の上面に当接されるカバー板体２１’が固着されている。
【００２６】
回動ノブ２２を手で摘まんで回動させると、回動ボルト２０の回動によってネジ座１４が上下するようになっており、ネジ座１４の上下動に応じて屈曲板体９が上下動するようになっている。クランプ装置３を天板５の端部に取り付ける際には、先ず回動ノブ２２を回動させて、屈曲板体９を降下させた状態で、クランプ装置３を屈曲板体９が天板５の端部に遊嵌された状態で配置する。そして、回動ノブ２２を逆に回転させると、屈曲板体９が上昇し、上部及び下部挟持部材１２，１３によって上下方向から天板５の端部が挟持されるようになり、クランプ装置３が天板５の端部に取り付けられるようになる。
【００２７】
尚、クランプ装置３を天板５の端部から取り外す際は、回動ノブ２２を回動させて屈曲板体９を降下させればよく、このようにクランプ装置３を天板５の端部に着脱することで、天板５の端部における任意の位置にパネル装置１を取り付けることができる。
【００２８】
また、屈曲板体９の上片１０及び下片１１の間に配置される垂直方向に延びる垂直片２３には、その外面側にパネル体２の支持フレーム材７に螺着された略円筒形状の回動部材２４が設けられている。この回動部材２４の内部には、本実施例における固定手段としてのトルクヒンジ２５が配置され、回動部材２４に所定の摩擦抵抗が加わるようになっている。
【００２９】
図５に示すように、トルクヒンジ２５は、屈曲板体９に螺着される固定片２６と、回動部材２４に螺着される回動片２７とを有している。固定片２６には、本実施例における支持手段として軸部２８が設けられており、回動片２７は軸部２８に対して回動自在に軸支されている。
【００３０】
また、軸部２８には、本実施例における固定手段及びバネ部材としての皿バネ２９が設けられている。回動片２７は皿バネ２９によって所定の付勢力で固定片２６に向かって付勢されており、固定片２６と回動片２７との間に、所定の摩擦抵抗が加えられるようになっている。皿バネ２９がトルクヒンジ２５に加える摩擦抵抗によって、パネル体２は、その回動が任意の回動位置で固定できるようになっており、そのため使用者Ｕがパネル体２の回動操作を行い易くなっている。
【００３１】
更に、回動部材２４は屈曲板体９から所定の長さ水平方向に突出されており、パネル体２は天板５の端部から所定の長さ離間された状態で配置される。そのためパネル体２と天板５の端部との間には、間隙が形成されており、パネル体２を回動させた際に、パネル体２の端縁が天板５の端部に接触することを防止できる。
【００３２】
図６に示すように、パネル装置１は、左右方向に並べられた２台のテーブル４，４の間に配置して使用することもでき、パネル装置１は、左右いずれか一方のテーブル４の天板５の端部に取り付けられるようになっている。このようにテーブル４に近接して他のテーブル４等の障害物が配置されるような場合でも、軽量なパネル体２を用いていることで、作業者がパネル装置１を一方のテーブル４に取り付けてテーブル４，４同士の間に配置できるとともに、クランプ装置３がその上部に設けられた回動ノブ２２によって操作ができるため、作業者がテーブル４の天板５の下方に潜ってクランプ装置３を操作しなくてもよくなり、パネル装置１の取付作業が容易になっている。
【００３３】
以上、本実施例におけるパネル装置１では、パネル体２を、天板５の端部における少なくとも１箇所に設けられたクランプ装置３に対して垂直方向に回動可能に軸支させていることで、パネル体２を支持するクランプ装置３等の部品の部品点数を減らせることができ、パネル装置１の製造コストが低減される。また、回動動作によってパネル体２を動かせるようになっているので、使用者Ｕがパネル体２を容易に動かすことができ、使用者Ｕが着席中の場合や片手であってもパネル体２を動かす操作を行えるようになる。更に、クランプ装置３の軸部２８に設けられた皿バネ２９によってパネル体２を任意の回動位置で固定できるため、使用者Ｕがパネル体２を回動操作したときに、別途、パネル体２を固定するための固定操作などを行う必要がなく、パネル体２を容易に固定できる。
【００３４】
また、略卵形状のパネル体２が自転されると、パネル体２の上端縁の高さ位置や天板５よりも上方の遮蔽面積等のパネル体２の表面領域を様々な形態に変化させることができるばかりか、パネル体の表面領域を少ない自転量で大きく変化させることができる。
【実施例２】
【００３５】
次に、実施例２に係るテーブル４におけるパネル装置１ａにつき、図７を参照して説明する。尚、前記実施例に示される構成部分と同一構成部分に付いては同一符号を付して重複する説明を省略する。図７は、実施例２におけるパネル装置１ａが取り付けられたテーブル４を示す背面図である。
【００３６】
図７（ａ）に示すように、実施例２におけるパネル体２ａは、楕円形状に形成されている。このパネル体２ａは前記実施例１のパネル体２と同様に、端縁フレーム材６及び支持フレーム材７を覆うようにクロス材８が張設されている。また、支持フレーム材７の中央部は、パネル体２ａの中心位置Ｊから偏心された位置に設けられ、パネル体２ａは、支持フレーム材７の中央部でクランプ装置３によって支持されている。
【００３７】
図７（ｂ）に示すように、パネル体２ａはクランプ装置３に支持された支持点を中心Ｔとして垂直方向に自在に回動（自転）させることができるとともに、パネル体２ａを任意の回動位置で固定することができる。
【実施例３】
【００３８】
次に、実施例３に係るテーブル４におけるパネル装置１ｂにつき、図８を参照して説明する。尚、前記実施例に示される構成部分と同一構成部分に付いては同一符号を付して重複する説明を省略する。図８は、実施例３におけるパネル装置１ｂが取り付けられたテーブル４を示す背面図である。
【００３９】
図８（ａ）に示すように、実施例３におけるパネル体２ｂは、正方形状に形成されている。このパネル体２ｂは前記実施例１のパネル体２と同様に、端縁フレーム材６及び支持フレーム材７を覆うようにクロス材８が張設されている。また、支持フレーム材７の中央部は、パネル体２ｂの中心位置Ｊから偏心された位置に設けられ、パネル体２ｂは、支持フレーム材７の中央部でクランプ装置３によって支持されている。
【００４０】
図８（ｂ）に示すように、パネル体２ｂはクランプ装置３に支持された支持点を中心Ｔとして垂直方向に自在に回動（自転）させることができるとともに、パネル体２を任意の回動位置で固定することができる。
【００４１】
以上、実施例２及び実施例３におけるパネル装置１ａ，１ｂでは、パネル体２ａ，２ｂが、円形以外の形状、すなわち楕円形状や正方形状をなしていることで、パネル体２ａ，２ｂを天板５の端部に設けられたクランプ装置３を中心Ｔとして回動させたときに、使用者Ｕから視認できるパネル体２ａ，２ｂの部位（表面領域）、すなわち天板５よりも上方に位置するパネル体２ａ，２ｂの部位が様々な形状に変化するようになる。
【００４２】
また、パネル体２ａ，２ｂが、その中心位置Ｊから偏心した位置を中心Ｔとして自転されるため、使用者Ｕから視認できるパネル体２ａ，２ｂの部位（表面領域）、すなわち天板５よりも上方に位置するパネル体２ａ，２ｂの部位が様々な形状に変化するようになり、パネル体２ａ，２ｂの高さ位置や天板５よりも上方の遮蔽面積を容易に変化させることができる。
【実施例４】
【００４３】
次に、実施例４に係るテーブル４におけるパネル装置１ｃにつき、図９を参照して説明する。尚、前記実施例に示される構成部分と同一構成部分に付いては同一符号を付して重複する説明を省略する。図９は、実施例４におけるパネル装置１ｃが取り付けられたテーブル４を示す背面図である。
【００４４】
図９（ａ）に示すように、実施例４におけるパネル体２ｃは、円形状に形成されている。このパネル体２ｃは前記実施例１のパネル体２と異なり、パネル体２ｃの表面にメモ用紙３０（ピンナップ）等をピンで貼り付けることができる平板状をなすピンナップボードとして構成されている。
【００４５】
尚、パネル体２ｃを支持するクランプ装置３は、パネル体２ｃの中心位置Ｔ、すなわちパネル体２ｃの重心位置に設けられている。パネル体２ｃはクランプ装置３に支持された支持点を中心Ｔとして垂直方向に自在に回動（自転）させることができるとともに、パネル体２ｃを任意の回動位置で固定することができる。
【００４６】
また、パネル体２ｃの表面（表面領域）の色が、使用者Ｕから視認できるパネル体２ｃの部位、すなわち天板５よりも上方に位置するパネル体２ｃの部位と、天板５の下方に位置するパネル体２ｃの部位とで異なるように形成されている。例えば、図９（ａ）中の網点部に示すように、パネル体２ｃの下半分の色は、パネル体２ｃの上半分の色と異なっている。尚、特に図示はしないが、パネル体２ｃの表面に描かれる模様等（表面領域）を、パネル体２ｃの上半分と下半分で異なるように描いてもよい。
【００４７】
図９（ｂ）に示すように、パネル体２ｃを垂直方向に１８０°回動させると、使用者Ｕから視認できるパネル体２ｃのパネル体２ｃの表面の色が切り替わるようになっている。また、パネル体２ｃの回動とともに、パネル体２ｃの表面に貼り付けてあるメモ用紙３０も移動するため、パネル体２ｃの下半分に貼り付けてあるメモ用紙３０が、使用者Ｕから視認できるように、パネル体２ｃの上半分に移動される。
【００４８】
以上、実施例４におけるパネル装置１ｃでは、天板５より上方、つまり使用者Ｕから視認できるパネル体２ｃの表面部位（表面領域）以外にもメモ用紙３０等を貼り付けられるため、パネル体２ｃの遮蔽面積を小さくした状態で、多くのメモ用紙３０等を貼り付けておくことができる。更に、パネル体２ｃを回動させるだけで、使用者Ｕから視認できない位置に貼り付けてあるメモ用紙３０を、容易に視認できる位置まで移動させることができる。尚、２人の使用者Ｕがテーブル４を使用する場合などに、テーブル４の使用者Ｕが変わる毎にパネル体２ｃを回動させて、各々の使用者Ｕが必要とするメモ用紙３０を視認できるようにしてもよい。
【００４９】
また、使用者Ｕは仕事中の気分や状況などに応じて、パネル体２ｃを回動させるだけで、パネル体２ｃの表面の色や模様、すなわち表面領域を容易に切り替えることができる。
【実施例５】
【００５０】
次に、実施例５に係るテーブル４におけるパネル装置１ｄにつき、図１０を参照して説明する。尚、前記実施例に示される構成部分と同一構成部分に付いては同一符号を付して重複する説明を省略する。図１０は、実施例５におけるパネル装置１ｄが取り付けられたテーブル４を示す背面図である。
【００５１】
図１０（ａ）に示すように、実施例５におけるパネル体２ｄは、前記実施例１のパネル体２ｄと同様に略卵形状に形成され、端縁フレーム材６及び支持フレーム材７を覆うようにクロス材８が張設されている。また、支持フレーム材７の中央部は、パネル体２ｄの中心位置Ｊから偏心された位置に設けられている。
【００５２】
また、実施例５におけるクランプ装置３ｄは、前記実施例１と異なり、クランプ装置３ｄに設けられた第１回動部材３１に、天板５の端部に対して平行に延びるアーム３３が設けられ、このアーム３３の先端には、第２回動部材３２が設けられている。更に、第１回動部材３１及び第２回動部材３２の内部には、それぞれに前記実施例１で用いたトルクヒンジ２５と同様のトルクヒンジ（図示略）が配置され（図４及び図５参照）、第１回動部材３１及び第２回動部材３２に所定の摩擦抵抗が加わるようになっている。尚、第１回動部材３１のトルクヒンジ（図示略）が本実施例における第１固定手段を構成し、第２回動部材３２のトルクヒンジ（図示略）が本実施例における第２固定手段を構成している。
【００５３】
更に、パネル体２ｄは、支持フレーム材７の中央部が第２回動部材３２に連結されている。パネル体２ｄは、第２回動部材３２に支持された位置を中心Ｔとして垂直方向に自在に回動（自転）させることができるとともに、パネル体２ｄを任意の回動位置で固定することができる。尚、アーム３３は、第１回動部材３１を中心Ｋとして垂直方向に自在に回動させることができるとともに、アーム３３を任意の回動位置で固定することができる。
【００５４】
図１０（ｂ）に示すように、アーム３３が第１回動部材３１を中心Ｋとして回動されると、パネル体２ｄは第１回動部材３１を中心Ｋとして垂直方向に回動（公転）される。パネル体２ｄは、天板５の端部における任意の一点、すなわち第１回動部材３１が設けられた支持点を中心Ｋ（軸）として垂直方向に公転される。
【００５５】
以上、実施例５におけるパネル装置１ｄでは、使用者Ｕがパネル体２ｄを動かすと、使用者から視認できるパネル体２ｄの表面領域が変化するようになり、かつパネル体２ｄを天板５の端部における任意の一点Ｋに対して垂直方向に公転させるように動かせることで、パネル体２ｄを回動のみならず、略上下方向や略左右方向にも移動させることができるようになる。尚、第２回動部材３２を固定した状態で、第１回動部材３１のみを回動させてパネル体２ｄを移動させるようにしてもよい。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例１では、クランプ装置３に設けられたパネル体２を任意の回動位置で固定するための固定手段として皿バネ２９が用いられていたが、皿バネ２９以外でもコイルバネや板場バネ等のその他のバネ部材を用いて固定手段としてもよい。また、パネル体２を任意の回動位置で固定する固定手段はバネ部材に限らずに、その他の固定手段、例えば、部材同士の係合や電磁力等を用いたような固定手段であってもよい。
【００５８】
また、前記実施例１では、クランプ装置３を用いてパネル体２を天板５の端部に取り付けるようにしていたが、天板５の端部に直接トルクヒンジ２５を固定し、パネル体２を天板５から着脱不能に取り付けるようにしてもよい。
【００５９】
また、前記実施例１では、パネル体２に金属製のフレーム材６，７を用いているが、フレーム材６，７は金属に限らず、パネル体２を軽量化することができれば、フレーム材６，７を合成樹脂等の材質で形成してもよい。
【００６０】
また、前記実施例１では、パネル体２に金属製の端縁フレーム材６及び支持フレーム材７を用いているが、この両フレーム材６，７を、弾性を有する金属等の材質で構成してもよく、両フレーム材６，７が弾性を有するように構成することで、クロス材８にテンションをかけた状態で張設できるようになる。
【図面の簡単な説明】
【００６１】
【図１】実施例１におけるパネル装置が取り付けられたテーブルを示す斜視図である。
【図２】パネル装置が取り付けられたテーブルの使用例を示す側面図である。
【図３】パネル装置が取り付けられたテーブルを示す背面図である。
【図４】クランプ装置を示す縦断側面図である。
【図５】トルクヒンジを示す斜視図である。
【図６】パネル装置が取り付けられたテーブルの使用例を示す斜視図である。
【図７】実施例２におけるパネル装置が取り付けられたテーブルを示す背面図である。
【図８】実施例３におけるパネル装置が取り付けられたテーブルを示す背面図である。
【図９】実施例４におけるパネル装置が取り付けられたテーブルを示す背面図である。
【図１０】実施例５におけるパネル装置が取り付けられたテーブルを示す背面図である。
【符号の説明】
【００６２】
１，１ａ，１ｂ    パネル装置
１ｃ，１ｄ        パネル装置
２，２ａ，２ｂ    パネル体
２ｃ，２ｄ        パネル体
３，３ｄ          クランプ装置
４                テーブル
５                天板
６                端縁フレーム材
７                支持フレーム材
８                クロス材
２４              回動部材
２５              トルクヒンジ（固定手段）
２８              軸部（支持手段）
２９              皿バネ（固定手段，バネ部材）
３１              第１回動部材
３２              第２回動部材
３３              アーム
【図１】
2008113837.tif 000003
【図２】
2008113837.tif 000004
【図３】
2008113837.tif 000005
【図４】
2008113837.tif 000006
【図５】
2008113837.tif 000007
【図６】
2008113837.tif 000008
【図７】
2008113837.tif 000009
【図８】
2008113837.tif 000010
【図９】
2008113837.tif 000011
【図１０】
2008113837.tif 000012